(57)【要約】【課題】確実に高い気密性を確保するため柱脚部と鋼製土台部と壁面パネル部の気密構造を提供する。【解決手段】上記課題を解決する目的を達成するため、請求項１に記載する鋼製土台の室外部垂直部から上部水平部へ本発明のＺ形ウィングプレートの山折りした部分を設置することにより、谷折りしたプレートは、柱脚室内側垂直上部方向へ設置ができる、しかる後、裏あてプレートと複数本のボルト、ナットを用いて鋼製土台、ブレスプレートを構成している柱脚、又、壁面パネルとＺ形ウィングプレートを固定密着させる。【選択図】図１
2012136923.tif 000002
【特許請求の範囲】
【請求項１】
所定の寸法を有するプレートを所定の位置で山折りにし、次に所定の位置と寸法で谷折りをし、階段状のＺ形に形成する。山折りをしたプレートをコンクリート基礎上に設置した鋼製土台室外側面部と鋼製土台上部へ被せ、一方谷折りをしたプレートは柱脚部鋼製土台室内側の上向きに設置ができるよう一体形成をしたことを特徴とした雨水侵入防止気密構造ウィングプレート。
【請求項２】
所定の寸法で一体形成したウィングプレートと鋼製土台との間に、所定の寸法間隔で山折り、谷折りをした階段状の土台水切り板の垂直面を鋼製土台の室外側面に設置する、所定の寸法で山折りをした垂直面は鋼製土台から所定の寸法で間隔をあけ、プレートを鋼製土台側面部に平行に設置する。しかる後ブレスプレートが構成された柱脚を室内側から所定の寸法で形成された裏あてプレートを用いて複数本のボルト、ナットで鋼製土台と土台水切りプレートとウィングプレートと柱脚を固定密着させることを特徴とした柱脚部の雨水侵入防止気密工法。
【請求項３】
所定の寸法を有するプレートを各所定の寸法間隔で山折り、谷折り、山折り、谷折りの順で土台水切りとウィングプレートを一体形成をしたことを特徴とした雨水浸入防止気密構造ウィングプレート。
【請求項４】
柱脚間に設置される壁面パネル部の鋼製土台の側面と上部に所定の寸法で土台水切りが一体形成されているウィングプレート被せ、しかる後、室内側から所定の寸法で形成された裏あてプレートを用いて複数本のボルト、ナットで鋼製土台と壁面パネルとウィングプレートを固定密着させることを特徴とした雨水侵入防止気密工法。
【請求項５】
コーナー柱脚部のウィングプレートの断面は階段状のＺ形をしており、また、上から見た鋼製土台上部水平部分はＬ形状をしている。また、鋼製土台側面のコーナー突合せも断面はＬ形状をしており、コーナー部分へ設置できるように、所定の寸法で一体形成されたことを特徴とした資材、また、土台水きりとウィングプレートを一体形成をした雨水侵入防止気密構造コーナー用ウィングプレート。
【請求項６】
コーナー用ウィングプレートを固定密着するように、Ｌ形状の裏あてプレートを設置し、しかる後、複数本のボルト、ナット用いて鋼製土台と柱脚とウィングプレートを固定密着させることを特徴とした雨水侵入防止工法。
【発明の詳細な説明】
【技術分野】
【０００１】本発明は、プレハブ住宅の鋼製土台と柱脚、壁面パネルから雨水等の侵入を防ぐ気密構造と、且つ鋼製土台と柱脚の強度に関するものである。
【背景技術】
【０００２】従来の鋼製土台と柱脚、壁面パネルの気密性を得るため気密カバーに両面接着テープで気密構造を採用していた。またコーキング材を用いて隙間を充填していた。しかし、この作業は作業員の技術の差で気密性にばらつきがあった。
【発明の概要】
【発明が解決しようとする課題】
【０００３】本発明は上記のように述べた従来の鋼製土台と柱脚、壁面パネルの接続は作業者の技術による気密性のばらつきをなくし、本発明のウィングプレート土台水切りをマニュアル通りに組み立てることで完全な気密構造を提供することを課題としたものである。
【課題を解決するための手段】
【０００４】上記課題を解決する目的を達成するため、請求項１〜６に記載する本発明のＺ形ウィングプレートを鋼製土台に設置することにより、土台水きりプレートでない方の谷折りしたプレートは、柱脚室内側垂直上部方向へ設置ができる、しかる後、裏あてプレートと複数本のボルト、ナットを用いて鋼製土台、ブレスプレートを構成している柱脚、又、壁面パネルとＺ形ウィングプレートを固定密着させることを特徴とするものである。
【発明の効果】
【０００５】上記したように本発明のＺ形ウィングプレート使用することで鋼製土台と柱脚部、壁面パネルから雨水の侵入を完全に防止することが達成することができ、コンクリート土台と鋼製土台の間に弾力性のあるゴム等を敷き詰めることでより気密性が得られた。【０００６】裏あてプレートの効果で鋼製土台と柱脚を複数本のボルト、ナットで固定することで耐震金具としての対応ができ、従来のプレハブ工法より比較しても耐震強度が向上し、また、裏あてプレートの厚みを増すことで必要な強度を得られた。
【図面の簡単な説明】
【０００７】
【図１】本発明の実施形態を示す柱脚部の側面図。
【図２】本発明を室内から見た実施形態を示す側面図。
【図３】本発明を真上から見た実施形態を示す詳細図。
【発明が実施するための形態】
【０００８】以上のようにこの本発明の形態を図１〜図３に基づいて説明する。
【０００９】以下、本発明に関する柱脚部と鋼製土台の接続構造について、図面に基づいて説明する。本発明は図１に示す如く、基礎コンクリート台（３）上に設置した鋼製土台（２）の室外側面部下部に土台水切り（４）を設置し、本発明のウィングプレート（１）の一方を鋼製土台（２）側面部から鋼製土台上面部に設置することにより山折り、谷折りをしたことにより室内側のプレートは上部方向に設置できる。しかる後、複数本のボルト、ナット（７）で裏あてプレート（５）と柱脚（６）と鋼製土台（２）を固定密着させたものである。以下詳細に説明する。
【００１０】裏あてプレート（５）上部と柱脚（６）へ溶接（１０）を施すことで、万が一ボルト、ナット（７）が緩んだ場合でも柱脚（６）の傾きが防止できる。
【００１１】裏あてプレート（５）を用いて、鋼製土台（２）と柱脚（６）を複数本のボルト、ナット（７）で固定することにより耐震性も向上する。
【００１２】本発明のウィングプレート（１）は山折り（１１）と、谷折り（１２）で一体形成されて階段状になっているため室内側のプレートの端は当然、鋼製土台（２）より上部になるように構成されている。
【００１３】図２について説明する。柱脚（６）間に挿入される壁面パネルとウィングプレート（１）を裏あてプレート（５’）用いて複数本のボルト、ナット（７）で固定した形態を示すものである。
【００１４】柱脚（６）部と壁面パネル部のウィングプレートの接合方法は樹脂コーキング材（８）を用いて気密性を確保する。
【００１５】図３について説明する。鋼製土台（２）コーナー部はリップ溝形鋼の柱脚（６‘）をコラム支柱（９）の側面に９０度になるように溶接（１０）した形態を示す。
【００１６】前記、コーナー部を上部から見た断面図を説明する。室内側にはコーナー用裏あてプレート（５”）で柱脚（６）と鋼製土台（２）とウィングプレート（１）を複数本のボルト、ナット（７）で固定し、また、壁面パネルと鋼製土台（２）へ裏あてプレート（５’）を複数本のボルト、ナット（７）用いて固定密着し、室外側周囲に土台水切りを配置した形態を示す。
【実施例】
【００１７】本発明のウィングプレートを使用することで柱、壁面パネルから雨水の浸入を防ぐことが可能となり床板の腐食が著しく改善された。
【産業上の利用可能性】
【００１８】気密性が向上することで、より小さなエネルギーで冷暖房が可能となり少しではあるが地球温暖化防止の一翼を担うことができる。
【符号の説明】
【００１９】１    ウィングプレート
２    鋼製土台
３    基礎コンクリート土台
４    土台水切り
５    裏あてプレート
５’  壁面パネル用裏あてプレート
５”  コーナー用裏あてプレート
６    柱脚
７    ボルト、ナット
８    土中アンカーボルト
９    コラム支柱
１０  溶接
１１  プレートの山折り部
１２  プレートの谷折り部
１３  コーキング材
１４  ブレスプレート
１５  鋼製土台接続用ガイドプレート
【図１】
2012136923.tif 000003
【図２】
2012136923.tif 000004
【図３】
2012136923.tif 000005